【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
ヒトの胃壁に形成された少なくとも一つの組織ポケット内に保持可能な肥満調節装置であって、
ヒトの胃壁に形成された組織ポケット内に保持されるように寸法付けられた部材と、
この部材に取り付けられた体重減量要素とを備える装置。
【請求項２】
請求項１の装置において、前記体重減量要素が制限デバイスを含み、この制限デバイスは、食道から胃への通路を事実上狭めて、胃への食物流量を制限するように寸法付けられている装置。
【請求項３】
請求項１の装置において、前記体重減量要素が拡張自在な空間占有デバイスを含み、このデバイスは、胃の有効容積を減少させるように寸法付けられている装置。
【請求項４】
請求項１の装置において、前記体重減量要素は、空腹調節剤を包含する薬物溶出デバイスを含む装置。
【請求項５】
請求項１の装置において、前記部材は、前記装置へ取り付けられて体組織へ物理的に侵襲するファスナーを用いることなく、組織ポケット内へ保持可能である装置。
【請求項６】
請求項１の装置において、前記装置は、組織ポケットが第１及び第２の開口を含んで形成されたヒトの胃内に配置可能であり、前記部材は保持用を含み、この保持要素は第２の開口を通じる保持要素の移動を防いで、前記部材の組織ポケットからの解放を防ぐように寸法付けられている装置。
【請求項７】
請求項１の装置において、前記保持要素が、前記部材の組織ポケットからの解放を防止するように拡張自在である装置。
【請求項８】
請求項７の装置において、前記保持要素が膨張自在である装置。
【請求項９】
請求項７の装置において、前記保持要素は、径が低減した姿勢へ圧縮である装置。
【請求項１０】
請求項６の装置において、前記保持要素が前記部材の組織ポケットからの解放を防止するように変形可能である装置。
【請求項１１】
請求項６の装置において、前記保持要素が組織ポケットの第１の開口及び第２の開口を通じて延在するクリップである装置。
【請求項１２】
請求項２の装置において、前記制限デバイスがリングである装置。
【請求項１３】
請求項２の装置において、前記制限デバイスがメッシュスクリーンである装置。
【請求項１４】
請求項２の装置において、前記制限デバイスが膨張自在なバルーンである装置。
【請求項１５】
請求項２の装置において、前記制限デバイスがポーチである装置。
【請求項１６】
請求項１の装置において、ヒトの胃の表面組織を付着させることにより形成された組織ポケット内に保持されるように寸法付けされた前記部材を複数含む装置。
【請求項１７】
請求項１の装置において、少なくとも３つの前記部材を含む装置。
【請求項１８】
医療用インプラントシステムであって、
体内に挿入可能であり、体腔の壁上の体組織の領域を付着させて組織ポケットを形成する器具と、
体腔内に配置可能な医療用インプラントとを備え、その医療用インプラントは、体腔内に形成された組織ポケット内に保持するように寸法付けられた少なくとも一つの部分を含むインプラントシステム。
【請求項１９】
請求項１８のインプラントシステムにおいて、前記医療用インプラントが薬物送達デバイスであるインプラントシステム。
【請求項２０】
請求項１８のインプラントシステムにおいて、前記医療用インプラントが診断デバイスであるインプラントシステム。
【請求項２１】
請求項１８のインプラントシステムにおいて、前記医療用インプラントが抗還流デバイスであるインプラントシステム。
【請求項２２】
請求項１８のインプラントシステムにおいて、前記医療用インプラントが体重減量を誘発するように胃内に配置可能であるインプラントシステム。
【請求項２３】
請求項１８のインプラントシステムにおいて、前記医療用インプラントが胃の有効容積を低減するように胃内に配置可能な拡張自在空間占有体であるであるインプラントシステム。
【請求項２４】
請求項１８のインプラントシステムにおいて、前記医療用インプラントが、胃への食物の流量を制限するように胃内に配置可能な流量制限デバイスであるインプラントシステム。
【請求項２５】
請求項１８のインプラントシステムにおいて、前記器具が縫合器具であるインプラントシステム。
【請求項２６】
請求項１８のインプラントシステムにおいて、前記器具がステープリング器であるインプラントシステム。
【請求項２７】
請求項１８のインプラントシステムにおいて、前記器具がクリップアプライアーであるインプラントシステム。
【請求項２８】
請求項１８のインプラントシステムにおいて、前記医療用インプラントは、前記器具を用いて形成された複数の組織ポケット内に保持されるように寸法付けられた複数の脚部材を含むインプラントシステム。
【請求項２９】
請求項１８のインプラントシステムにおいて、前記医療用インプラントは、体組織に物理的に侵襲し且つ前記医療用インプラントに物理的に接続されるファスナーを使用することなく、組織ポケット内に保持可能であるインプラントシステム。
【請求項３０】
キットであって、
胃内に配置可能な医療用インプラントと、
移植法の説明に用いる指示とを備え、この指示は、
胃の壁に組織ポケットを形成し、この組織ポケットは胃の内室へ露呈された第１の開口を有する段階と、
前記医療用インプラントの少なくとも一部を前記組織ポケット内に保持する段階とを含むキット。
【請求項３１】
請求項３０のキットにおいて、腹腔鏡的な切除及び締結器具を更に含むと共に、前記説明に用いる指示は前記腹腔鏡的な切除及び締結器具を用いて組織ポケットを形成するキット。
【請求項３２】
請求項３０のキットにおいて、前記医療用インプラントは体重減量のためのインプラントであるキット。
【請求項３３】
請求項３２のキットにおいて、前記医療用インプラントは摂取された食物の食道から胃への流れを遅くするように寸法付けられているキット。
【請求項３４】
請求項３３のキットにおいて、前記医療用インプラントは閉塞デバイスであるキット。
【請求項３５】
請求項３３のキットにおいて、前記医療用インプラントは制限デバイスであるキット。
【請求項３６】
医療用インプラントシステムであって、
体腔の壁上の体組織の領域を付着させて襞を形成するために身体へ挿入可能な器具と、
前記体組織の領域の間に配置可能なパッチと、
少なくとも、前記体組織の領域の間に粘着が形成されるまで、襞を保持する保持手段とを備える医療用インプラントシステム。
【請求項３７】
請求項３６の医療用インプラントシステムにおいて、
体腔内に配置可能であり、前記襞により体腔内に保持されるように構成された医療用インプラントを更に備える医療用インプラントシステム。
【請求項３８】
請求項３７の医療用インプラントシステムにおいて、前記医療用インプラントが薬物送達デバイスである医療用インプラントシステム。
【請求項３９】
請求項３７の医療用インプラントシステムにおいて、前記医療用インプラントが診断デバイスである医療用インプラントシステム。
【請求項４０】
請求項３７の医療用インプラントシステムにおいて、前記医療用インプラントが抗還流デバイスである医療用インプラントシステム。
【請求項４１】
請求項３７の医療用インプラントシステムにおいて、前記医療用インプラントが体重を減量するように胃内に配置可能である医療用インプラントシステム。
【請求項４２】
請求項３７の医療用インプラントシステムにおいて、前記医療用インプラントは、胃の有効容積を減少させるように胃内で拡張自在な空間占有体である医療用インプラントシステム。
【請求項４３】
請求項３７の医療用インプラントシステムにおいて、前記医療用インプラントは、胃への食物の流量を制限するように胃内に配置可能な流量制限デバイスである医療用インプラントシステム。
【請求項４４】
請求項３６の医療用インプラントシステムにおいて、前記器具は縫合器具である医療用インプラントシステム。
【請求項４５】
請求項３６の医療用インプラントシステムにおいて、前記器具はステープリング器具である医療用インプラントシステム。
【請求項４６】
請求項３６の医療用インプラントシステムにおいて、前記器具はクリップアプライヤーである医療用インプラントシステム。
【請求項４７】
請求項３６の医療用インプラントシステムにおいて、前記保持手段は、縫合糸、ステープル、クリック、ファスナー、ｔ字状バー、綿撤糸、接着剤、及びスタッドからなるグループから選択される医療用インプラントシステム。